(57)【要約】      （修正有）【課題】ベッド本体構造の複雑化を避け、特段メンテナンスの頻度を増やすこともなく、また、公知の折畳式ベッドにも適用可能な汎用性の高い補助クッション体で、更に該補助クッション体との係合手段を設けた該補助クッション体を備えた折畳式ベッドを提供する。【解決手段】前寝台と後寝台が水平展開及び折畳収納自在に枢結する構造のベッドにおいて水平展開時に生じる前後寝台上のマットレスの境界凹部にあてがう略帯状の補助クッション体１を反発弾性体２とこれを包むカバー３とから構成し、前記カバー３には前記ベッドへの取付手段３ａ、３ｂを具備した。【選択図】図４
0003184202.tif 000002
【実用新案登録請求の範囲】
【請求項１】
前寝台と後寝台が水平展開及び折畳収納自在に枢結する構造のベッドにおいて、水平展開時に生じる前後寝台上のマットレスの境界凹部にあてがう略帯状の補助クッション体であって、
該補助クッション体は反発弾性体とこれを包むカバーとからなり、前記カバーには前記ベッドへの取付手段を具備した補助クッション体。
【請求項２】
反発弾性体は長手方向と直行する断面形状が略三角形状である請求項１に記載の補助クッション体。
【請求項３】
反発弾性体は長手方向に亘って片面に凸条部が成形された請求項１に記載の補助クッション体。
【請求項４】
反発弾性体は長手辺両側端部においてテーパー状又は丸み状に面取りされた請求項３に記載の補助クッション体。
【請求項５】
前記取付手段と係合する係合手段を備えた請求項１乃至請求項４のいずれかに記載の補助クッション体を利用する折畳式ベッド。
【考案の詳細な説明】
【技術分野】
【０００１】
本考案は、隣接するクッション同士の間に生じる窪みにあてがって使用する補助クッション体であって、特に、就寝者の上半身及び下半身が夫々載置される前寝台及び後寝台が水平展開及び折畳収納自在に枢結した折畳式ベッドに用いられる補助クッション体に関し、また該補助クッション体を備えた折畳式ベッドに関する。
【背景技術】
【０００２】
折畳式ベッドは、設置スペースの有効利用、移動や持ち運びに容易なことから住宅関連分野、介護・医療分野、エステティック美容やマッサージといった美容健康分野その他様々な分野において利用されている。
【０００３】
従来の折畳式ベッド、例えば、中央部で逆Ｖ字状に折り畳み可能なベッドにおいては、水平展開時には前寝台と後寝台のマットレス間の境界に窪み（ｄ）が生じる（図８）。しかし、この窪みは就寝者の腰部近傍にあたることから理想的な就寝姿勢がとりづらいという問題があった。
【０００４】
この点を考慮し、中間床部を具備することによって水平展開時でも前後寝台のマットレス間に窪みが生じることを防ぐ折畳式ベッドが開示されている（特許文献１（段落「００４９」、図１８，図２０）参照）。
【先行技術文献】
【特許文献】
【０００５】
【特許文献１】特開２００２−４５２６７号公報
【考案の概要】
【考案が解決しようとする課題】
【０００６】
しかしながら、特許文献１に記載の折畳式ベッドによれば、中間床部のみに汎用性はなく、また、構造が複雑化することは避けられず、ベッド本体のコストアップにもつながる。更に、中間床部を設けることで枢結個所が増え、故障を引き起こす可能性が高まることは否定できない。したがって、日頃からメンテナンスをより頻繁に行わざるを得ず、特に介護・医療分野や、エステティック美容やマッサージといった美容健康分野などの商業利用においては、安全性の観点からより注意を要する。
【０００７】
そこで、本考案は、補助クッション体を折畳式ベッド本体とは別に考案することとした。即ち、コストアップにつながるベッド本体構造の複雑化を避けることで、特段メンテナンスの頻度を増やすこともなく、また、公知の折畳式ベッドにも適用可能な汎用性の高い補助クッション体を提供することを課題とし、更に該補助クッション体との係合手段を設けた該補助クッション体を備えた折畳式ベッドを提供することを課題とする。
【課題を解決するための手段】
【０００８】
上記課題を解決するために、本考案は次のように構成した。即ち、本考案に係る請求項１に記載の補助クッション体は、前寝台と後寝台が水平展開及び折畳収納自在に枢結する構造のベッドにおいて、水平展開時に生じる前後寝台上のマットレスの境界凹部にあてがう略帯状の補助クッション体であって、該補助クッション体は反発弾性体とこれを包むカバーとからなり、前記カバーには前記ベッドへの取付手段を具備したことを特徴としている。
【０００９】
また、請求項２に記載の補助クッション体は、請求項１に記載の構成において、
反発弾性体が、長手方向と直行する断面形状が略三角形状であることを特徴としている。
【００１０】
また、請求項３に記載の補助クッション体は、請求項１に記載の構成において、反発弾性体が、長手方向に亘って片面に凸条部が成形されたことを特徴としている。
【００１１】
更に、請求項４に記載の補助クッション体は、請求項１に記載の構成において、反発弾性体が、長手辺両側端部においてテーパー状又は丸み状に面取りされたことを特徴としている。
【００１２】
更に、請求項５に記載の折畳式ベッドは、前記取付手段と係合する係合手段を備えた、請求項１乃至請求項４のいずれかに記載の補助クッション体を利用することを特徴としている。
【考案の効果】
【００１３】
本考案に係る請求項１に記載の補助クッション体によれば、マットレス間の境界凹部が就寝者の腰部近傍に位置していても、理想的な就寝姿勢を崩すことなく維持させることが可能である。
【００１４】
また、請求項２に記載の補助クッション体によれば、マットレスの境界凹部の窪み形状に該補助クッション体の裏面側の形状が略嵌合し、設置状態をより安定させることが可能である。
【００１５】
また、請求項３に記載の補助クッション体によれば、該境界凹部のバリエーションの窪み形状に該クッション体の裏面側の形状が略嵌合し、設置状態をより安定させることが可能である。
【００１６】
また、請求項４に記載の補助クッション体によれば、マットレスの境界凹部の窪み形状に該クッション体の裏面側の形状が一層略嵌合し、設置状態を更に安定させることが可能である。
【００１７】
更に、請求項５に記載の折畳式ベッドによれば、コストアップにつながるベッド本体の構造の複雑化をもたらさず、特段メンテナンスの頻度を増やすこともなく、理想的な就寝姿勢を提供することが可能である。
【図面の簡単な説明】
【００１８】
【図１】（ａ）補助クッション体の裏面側斜視図である。（ｂ）補助クッション体の表面側斜視図である。
【図２】（ａ）反発弾性体の裏面側斜視図である。（ｂ）反発弾性体の表面側斜視図である。
【図３】反発弾性体のバリエーション形状を示す断面図である。
【図４】補助クッション体の構成を示す説明図である。
【図５】折畳式ベッドを折り畳んだ状態を示す側面図である。
【図６】図５中の破線部Ｑで囲まれた領域の詳細拡大斜視図である。
【図７】本考案に係る折畳式ベッドを展開した状態を示す斜視図である。
【図８】（ａ）従来の折畳式ベッドを折り畳んだ状態を示す側面図である。（ｂ）従来の折畳式ベッドを展開した状態を示す斜視図である。
【考案を実施するための形態】
【００１９】
以下、図面に基づいて本考案について詳述する。
図１は本考案に係る補助クッション体（１）の斜視図であり、図１（ａ）は該補助クッション体の裏面側（１ａ）を示しており、折畳式ベッドへ設置した際にマットレスの境界凹部の窪み形状に略嵌合する側を示す斜視図である。
図１（ｂ）は該補助クッション体の表面側（１ｂ）を示し、折畳式ベッドへ設置した際に就寝者の身体に接する側を示す斜視図である。
該補助クッション体（１）は後述する反発弾性体（２）とこれを包むカバー（３）とから構成される。
【００２０】
図２は反発弾性体（２）の斜視図であり、帯状体（２０）と該帯状体（２０）の長手方向に亘って成形された凸条体（２１）とからなる。図２（ａ）は反発弾性体（２）の裏面側（２ａ）、つまり、前記凸条体（２１）を設けた側を示し、図２（ｂ）は該反発弾性体の表面側（２ｂ）を示す。図３（ａ）は該反発弾性体を長手方向と直行する断面形状を表す断面図を示す。
本実施の形態における帯状体（２０）と凸条体（２１）は別々に成形した後に接着してなるが、所望の形状に削り出したものでも構わない。
【００２１】
本実施形態における反発弾性体（２）は全長９００ｍｍとし、帯状体（２０）は表面側（２ｂ）の幅は１４０ｍｍ（図３（ａ）、ｈ）、裏面側（２ａ）の幅は１００ｍｍ（同図、ｉ）、厚み２０ｍｍ（同図、ｋ）である。また、帯状体（２０）の長手辺両側端においてテーパー（図２、図３（ａ）、ｔ）を成形し、その角度θは４５度とした。
【００２２】
該凸条部（２１）は頂点から底辺までの高さ（図３（ａ）、ｍ）を１５ｍｍ、底辺幅（同図、ｎ）を３０ｍｍとした。また、該凸条部は長手方向と直行する断面形状が図３（ａ）乃至（ｃ）に示すような三角形状に限定されず、断面略台形状、断面四角形状としてもよい。
【００２３】
裏面側（２ａ）をこのような形状とすることで、マットレスの境界に生じる凹部の窪み形状に該クッション体の裏面側（１ａ）の形状を略嵌合させることが可能となり、設置状態の安定化に資する。
【００２４】
尚、上述した各部位の長さや角度は使用するベッドに合わせて適宜変更してよい。例えば、全長はシングルベッド、セミダブルベッド、ダブルベッドといった各折畳式ベッドサイズに応じて適宜変更すればよく、厚み（図３（ａ）、ｋ）はマットレスの境界に生じる凹部が深い場合には、これをより厚く成形すればよい。
【００２５】
反発弾性体（２）の材質はウレタンフォームである。ポリウレタン等の合成樹脂を発泡成形して得られる合成スポンジその他これに類似する素材であって、本考案の目的に適う性状を備えた素材であれば適宜選択可能で、マットレスの硬度や性状を考慮して所望の硬度・性状の反発弾性材を選択すればよい。
【００２６】
図３（ｂ）乃至（ｄ）は反発弾性体のバリエーション形状を示す断面図であり、夫々反発弾性体を長手方向と直行する断面形状を表す断面図である。図３（ａ）は図２の反発弾性体の同断面図を示しており、（ｔ）は前述のテーパー部を指す。図３（ｂ）は該テーパー部（ｔ）を設ける代わりに、外方向へ膨らむ丸み状の面取り部（ｓ１）を設けたバリエーションを示し、図３（ｃ）は前記テーパー部（ｔ）を設ける代わりに、内外方向へ凹む丸み状の面取り部（ｓ２）を設けたバリエーションを示す。図３（ｄ）はよりシンプルな例として反発弾性体（２）の裏面側（２ａ）を略三角形状とした例を示す。
変形例は上述した例に限られず、利用する折畳式ベッドやそれに付随するマットレス端部の形状に合わせて適宜変形することを妨げない。
【００２７】
図４は補助クッション体（１）の構成を示す説明図である。カバー（３）の両端には補助クッション体（１）を折畳式ベッド本体へ取り付けるための取付手段（３ａ，３ｂ）が夫々設けられている。該取付手段の先端には面状テープ（図示せず）を配し、折畳式ベッドへの着脱を容易な構成とした。また、反発弾性体（２）を出し入れするための開口部（Ｐ）には開閉手段としてファスナー（３ｃ）を裏面側（１ａ）に設けた。ファスナーのほかに面状テープやボタン、スナップそのほかの開閉手段の採用を妨げない。
【００２８】
本実施形態におけるカバー（３）は反発弾性体（２）を収納可能な大きさ、形状とする。素材はポリエステル製のメッシュ生地を使用するが、特に限定されない。本考案の使用目的を考慮すると吸汗性に優れ、通気性を備えた洗濯可能な素材が望ましい。
【００２９】
図５は折畳式ベッドを折り畳んだ状態を示す側面図である。（４）は本実施形態における折畳式ベッドを示し、前寝台（４０）と後寝台（４１）とが逆Ｖ字状に折畳収納され、折り畳まれた前後寝台（４０，４１）の境界に補助クッション体（１）が取り付けられている。
【００３０】
図６は図５中の破線部Ｑで囲まれた領域の詳細拡大斜視図である。補助クッション体（１）に設けられた取付手段（３ａ，３ｂ）と係合させるための係合手段（４２）が両側に設けられている。該係合手段（４２）は、折畳式ベッドの展開及び収納時にこれら作業の手がかりとなる役目も兼ねている。該係合手段（４２）の形状は特に図示した形状に限られず、本考案の目的に適う形状であれば他の形状とすることを妨げない。
【００３１】
図７は本考案に係る折畳式ベッド（４）を展開した状態を示す斜視図である。本考案に係る補助クッション体（１）によれば、就寝者（Ｘ）の腰部近傍にある前寝台（４０）と後寝台（４１）との境界に生じる窪みを該補助クッション体（１）が埋めて両寝台と面一となる結果、理想的な就寝姿勢を保つことが可能となる。
【００３２】
尚、本考案に係る補助クッション体（１）は前述の折畳式ベッド（４）のように取付手段（３ａ，３ｂ）と係合する係合手段（４２）を備えていない折畳式ベッド（図示せず）にも利用可能であり、該取付手段（３ａ，３ｂ）をベッド側面の前寝台と後寝台の境界近傍のフレーム部分に取り付ければよい。
【００３３】
本考案に係る補助クッション体によれば、コストをかけて中間床部を設けるなどして折畳式ベッド本体を複雑な構造とする必要がなく、また、特定の折畳式ベッドに限定されることなく、手軽に理想的な就寝姿勢をとることが可能となる。
【産業上の利用可能性】
【００３４】
特に、本考案に係る補助クッション体は折畳式ベッドのほか、折畳式ソファなど隣接するマットレス同士の境界凹部を補う補助クッション体として幅広く利用することができる。
【符号の説明】
【００３５】
１    補助クッション体
１ａ  補助クッション体裏面側
１ｂ  補助クッション体表面側
２    反発弾性体
２ａ  反発弾性体裏面側
２ｂ  反発弾性体表面側  
２０  帯状体
２１  凸条部
３    カバー
３ａ，３ｂ  取付手段
３ｃ  ファスナー
４    本考案に係る折畳式ベッド
４０  前寝台
４１  後寝台
４２  係合手段
ｄ  窪み
ｐ  カバーの開口部
ｓ  面取り（丸み状）
ｔ  面取り（テーパー）
ｘ  就寝者
【図１】
0003184202.tif 000003
【図２】
0003184202.tif 000004
【図３】
0003184202.tif 000005
【図４】
0003184202.tif 000006
【図５】
0003184202.tif 000007
【図６】
0003184202.tif 000008
【図７】
0003184202.tif 000009
【図８】
0003184202.tif 000010